(57)【要約】【課題】ファクシミリデータとメッセージデータとの関連付けを明確化する。【解決手段】端末機１は、実時間型の通信手順に基づいて送受されるファクシミリデータと、非実時間型の通信手順に基づいて送受されるメッセージデータとの両方を、通信装置６から送信させる。かつ端末機１は、通信装置６で受信されたファクシミリデータおよびメッセージデータのうち、発信者が等しいファクシミリデータおよびメッセージデータを関連づけ、両データの受信完了後に、両データを単一記録紙上に印刷出力させる。これによって端末機１は、単一発信者からのファクシミリデータおよびメッセージデータの関連を端末機１の利用者に明確に認識させることができる。また、メッセージデータを利用して端末機１に付加機能を容易に付与することができる。【選択図】　　　図１
2004120596.tif 000002
【特許請求の範囲】
【請求項１】
画像のデータを含むファクシミリデータを公衆回線網を介して実時間型の通信手順に基づいて送受し、かつ、文字コードで構成された文字列のデータを含むメッセージデータを公衆回線網を介して非実時間型の通信手順に基づいて送受する通信手段と、
単一の発信者から送信されたファクシミリデータおよびメッセージデータを通信手段が受信した場合、該ファクシミリデータと該メッセージデータとを相互に関連付けて、関連付けられたメッセージデータに基づいて該ファクシミリデータを処理する制御手段とを含むことを特徴とする端末機。
【請求項２】
前記制御手段が、
ファクシミリデータの受信に先立って前記公衆回線網から着呼信号に付随して送信されてくる発信者認識番号と、メッセージデータの受信プロトコル手順上で送信されてくる発信者電話番号とを比較し、
該発信者認識番号と該発信者電話番号とが一致するならば、該ファクシミリデータと該メッセージデータとが単一発信者から送信されてきたものであると判断することを特徴とする請求項１記載の端末機。
【請求項３】
前記制御手段が、
単一の発信者から送信されたメッセージデータおよびファクシミリデータの受信時に、ファクシミリデータの受信時刻とメッセージデータの受信時刻とをさらに比較し、
ファクシミリデータの受信時刻とメッセージデータの受信時刻との時間差があらかじめ定める基準時間未満であるならば、該ファクシミリデータと該メッセージデータとを関連付けることを特徴とする請求項１または２記載の端末機。
【請求項４】
前記制御手段が、
（１）相互に関連付けるべきメッセージデータおよびファクシミリデータそれぞれの送信時に、単一の参照番号を該メッセージデータおよび該ファクシミリデータにそれぞれ付与して送信し、
（２）単一の発信者から送信されたメッセージデータおよびファクシミリデータの受信時に、受信された各データに付与されている参照番号を比較し、メッセージデータの参照番号とファクシミリデータの参照番号とが一致するならば、該ファクシミリデータと該メッセージデータとを相互に関連付けることを特徴とする請求項１〜３のうちのいずれか１項記載の端末機。
【請求項５】
前記制御手段が、
（１）相互に関連付けるべきメッセージデータおよびファクシミリデータそれぞれの送信時に、関連付けるべきデータが存在する旨を示す識別データを、該メッセージデータおよび該ファクシミリデータにそれぞれ付与して送信し、
（２）メッセージデータおよびファクシミリデータの受信時に、受信された各データに識別データが付与されているか否かをそれぞれ判断し、識別データが付与されているならば、該受信された各データの関連付けの判断を行うことを特徴とする請求項１〜４のうちのいずれか１項記載の端末機。
【請求項６】
画像および画像化された文字列を、それぞれ印刷するための印刷手段をさらに含み、
前記制御手段は、受信されたメッセージデータおよびファクシミリデータが相互に関連付けられている場合、該ファクシミリデータ内の画像と該メッセージデータ内の文字列とを、前記印刷手段によって単一の記録紙上に印刷させることを特徴とする請求項１〜５のうちのいずれか１項記載の端末機。
【請求項７】
前記制御手段が、
（１）ファクシミリデータに関連付けるべきメッセージデータに、該ファクシミリデータを中継配信すべき旨を示す識別データと中継配信先を示す宛先データとを付与して送信し、
（２）受信されたメッセージデータおよびファクシミリデータが相互に関連付けられている場合、中継配信すべき旨を示す識別データが該メッセージデータに付与されているならば、該メッセージデータに付与されている宛先データが示す中継配信先に、前記通信手段によって該ファクシミリデータを転送させることを特徴とする請求項１〜６のうちのいずれか１項記載の端末機。
【請求項８】
画像を印刷するための印刷手段と、
パスワードを入力するための入力手段とをさらに含み、
前記制御手段が、
（１）ファクシミリデータに関連付けるべきメッセージデータに、該ファクシミリデータを親展扱いすべき旨を示す識別データを付与して送信し、
（２）受信されたメッセージデータおよびファクシミリデータが相互に関連付けられている場合、親展扱いすべき旨を示す識別データが該メッセージデータに付与されているならば、予め定めるパスワードが入力手段から入力された後に、該ファクシミリデータ内の画像を、前記印刷手段によって記録紙上に印刷させることを特徴とする請求項１〜７のうちのいずれか１項記載の端末機。
【発明の詳細な説明】
【０００１】
【発明が属する技術分野】
本発明は、実時間型の通信手順に基づいて送受されるファクシミリデータと、非実時間型の通信手順に基づいて送受されるメッセージデータとを、それぞれ送受し処理する端末機に関する。
【０００２】
【従来の技術】
従来、公衆回線網に接続された複数台の端末機同士の通信手法として、実時間型の通信手法が多く利用されている。実時間（ｒｅａｌ−ｔｉｍｅ）型の通信手法では、送信側の端末機から公衆回線網を介して受信側の端末機に対し、リアルタイムかつ直接に、データが送られる。インフラ（インフラストラクチャー：
ｉｎｆｒａｓｔｒｕｃｔｕｒｅ：基盤）の規模およびユビキタス（ｕｂｉｑｕｉｔｏｕｓ：同時偏在）性に基づき、実時間型の通信手法のうちの音声通話およびファクシミリ通信が、一番汎用的な実時間型通信手法として多用されている。
【０００３】
また近年、前記端末機同士の通信手法として、いわゆるショートメッセージサービス（Ｓｈｏｒｔ　Ｍｅｓｓａｇｅ　Ｓｅｒｖｉｃｅ：ＳＭＳ）に代表されるような、ストア＆フォワード（Ｓｔｏｒｅ　ａｎｄ　Ｆｏｒｗａｒｄ：蓄積送信）型を含む非実時間型の通信手法が台頭してきている。ストア＆フォワード型の通信手法では、公衆回線網にセンタ装置が接続されており、２台の端末機間で送受すべきデータは、送信側の端末機からセンタ装置に送られてセンタ装置に一旦格納され、センタ装置から受信側の端末機に送られる。以後の説明では、「ショートメッセージサービス」を「ＳＭＳ」と略称することがある。
【０００４】
実時間型の通信手法および非実時間型の通信手法が並存する状況に対応すべく、実時間型通信用の端末機と非実時間型通信用の端末機とを利用者が併用する場合が増えてきている。一例としては、非実時間型通信用の端末機の１つであるＳＭＳ装置を用いて、原稿をファクシミリ送信する旨を示すメッセージデータを通信相手に先行して連絡し、連絡後に、実時間型通信用の端末機の１つであるファクシミリ装置を用いてファクシミリデータを送信する。
【０００５】
このような２種類の端末機を併用する手順では、受信側において、メッセージデータはＳＭＳ装置を用いて受信され、ファクシミリデータはファクシミリ装置で受信される。このため、メッセージデータとファクシミリデータとが個別に出力されるので、記録紙が多く消費されてしまう。また、ファクシミリデータとメッセージデータとが別個の装置でそれぞれ受信されるため、受信されたメッセージデータおよびファクシミリデータの関連性が明確になりにくい。
【０００６】
ファクシミリデータとメッセージデータとの両方を扱う技術として、メッセージデータを、ファクシミリデータに変換し、メッセージデータをファクシミリデータとして出力する技術がある（たとえば特許文献１参照）。またメッセージデータを取扱う技術として、受信したメッセージデータを、電話帳に登録できるようにして、メッセージデータに名前などが含まれる場合、電話帳作成時にその名前などの文字の入力操作を不要にする技術がある（たとえば特許文献２参照）。またファクシミリデータとメッセージデータとを取扱うことができ、移動局として用いることができる個人用通信端末（ＰＣＴ）があり、このＰＣＴは、無線電話としての機能と、個人用デジタル支援装置（ＰＤＡ）としての機能とを、一体の装置に設けたものである（たとえば特許文献３参照）。また計算機に携帯電話を接続して、ファクシミリデータおよびメッセージデータを受信できるようにする技術がある（たとえば特許文献４参照）。
【０００７】
これら特許文献１〜４の技術では、ファクシミリデータとメッセージデータとの関連性を明確にするように構成されていない。
【０００８】
ファクシミリデータとメッセージデータとが併用される状況下において、受信されたメッセージデータおよびファクシミリデータの関連性を明確にするための文献公知技術は、出願人に知られていない。これは、現行では、個別利用を想定しているファクシミリデータおよびメッセージデータを利用者の運用によって併用しているため、両データの併用を前提とした技術が確立されていないためである。
【０００９】
【特許文献１】
特開平１０−１９０８６６号公報
【特許文献２】
特開平１１−３５５４５８号公報
【特許文献３】
特表平１１−５１２２６４号公報
【特許文献４】
特開２０００−２３５４３３号公報
【００１０】
【発明が解決しようとする課題】
上述したように、近年、ファクシミリ通信とＳＭＳとを併用する状況が増加している。しかしながら、ファクシミリデータはファクシミリ装置で受信され、メッセージデータはＳＭＳ装置を用いて受信されるため、記録紙の消費が増加してしまう。また、受信されたメッセージデータおよびファクシミリデータの関連性が明確になりにくい。
【００１１】
本発明の目的は、実時間型の通信手順に基づくファクシミリデータの送受と、非実時間型の通信手順に基づくメッセージデータの送受との両方を実行可能であり、かつ、ファクシミリデータとメッセージデータとの関連性を明確にすることが可能な端末機に関する。
【００１２】
【課題を解決するための手段】
本発明は、画像のデータを含むファクシミリデータを公衆回線網を介して実時間型の通信手順に基づいて送受し、かつ、文字コードで構成された文字列のデータを含むメッセージデータを公衆回線網を介して非実時間型の通信手順に基づいて送受する通信手段と、
単一の発信者から送信されたファクシミリデータおよびメッセージデータを通信手段が受信した場合、該ファクシミリデータと該メッセージデータとを相互に関連付けて、関連付けられたメッセージデータに基づいて該ファクシミリデータを処理する制御手段とを含むことを特徴とする端末機である。
【００１３】
本発明に従えば、端末機は、実時間型の通信手順に基づいて送受されるファクシミリデータと、非実時間型の通信手順に基づいて送受されるメッセージデータとの両方を、取扱うことが可能である。さらに端末機は、単一発信者から相互に異なる通信手順に基づいて送信された２種類のデータを相互に関連づけて処理する。これによって、受信側の端末機は、両データの関連を端末機の利用者に明確に認識させることができる。またこれによって、メッセージデータを利用してファクシミリデータの処理手法を制御することが可能になるため、端末機に付加機能を容易に付与することができる。
【００１４】
本発明の端末機は、前記制御手段が、
ファクシミリデータの受信に先立って前記公衆回線網から着呼信号に付随して送信されてくる発信者認識番号と、メッセージデータの受信プロトコル手順上で送信されてくる発信者電話番号とを比較し、
該発信者認識番号と該発信者電話番号とが一致するならば、該ファクシミリデータと該メッセージデータとが単一発信者から送信されてきたものであると判断することを特徴とする。
【００１５】
本発明に従えば、端末機の制御手段は、ファクシミリデータに付随する発信者認識番号とメッセージデータに付随する発信者電話番号とを比較して、該ファクシミリデータと該メッセージデータとが同一発信者から送信されてきたか否かを判断している。これによって受信側の端末機において、データの発信者が等しいかどうかを容易に判断することができるため、データ受信処理の複雑化が抑えられる。本発明の端末機は、ファクシミリデータの送受とメッセージデータの送受との両方が可能なので、発信者は、本発明の端末機を用いてファクシミリデータとメッセージデータとをそれぞれ送信するだけで両データを関連付けることができるため、関連付けが容易になる。また、送信側の端末機は既存の通信プロトコルに基づいてファクシミリデータおよびメッセージデータをそれぞれ送信するだけでよいので、端末機におけるデータ送信処理の複雑化が抑えられる。
【００１６】
本発明の端末機は、前記制御手段が、
単一の発信者から送信されたメッセージデータおよびファクシミリデータの受信時に、ファクシミリデータの受信時刻とメッセージデータの受信時刻とをさらに比較し、
ファクシミリデータの受信時刻とメッセージデータの受信時刻との時間差があらかじめ定める基準時間未満であるならば、該ファクシミリデータと該メッセージデータとを関連付けることを特徴とする。
【００１７】
本発明に従えば、端末機の制御手段は、ファクシミリデータまたはメッセージデータの受信時刻からメッセージデータまたはファクシミリデータの受信時刻までの時間差と基準時間とを比較して、該ファクシミリデータと該メッセージデータとが関連付けられているか否かを判断している。これによって、受信側の端末機は、発信者の等しいファクシミリデータとメッセージデータとの関連付けをより確実にして、関連付けの誤りを減少させることができる。
【００１８】
本発明の端末機は、前記制御手段が、
（１）相互に関連付けるべきメッセージデータおよびファクシミリデータそれぞれの送信時に、単一の参照番号を該メッセージデータおよび該ファクシミリデータにそれぞれ付与して送信し、
（２）単一の発信者から送信されたメッセージデータおよびファクシミリデータの受信時に、受信された各データに付与されている参照番号を比較し、メッセージデータの参照番号とファクシミリデータの参照番号とが一致するならば、該ファクシミリデータと該メッセージデータとを相互に関連付けることを特徴とする。
【００１９】
本発明に従えば、送信側の端末機の制御手段は、相互に関連付けるべきファクシミリデータおよびメッセージデータに単一の参照番号を付与して送信し、受信側の端末機の制御手段は、発信者が相互に等しくかつ参照番号が相互に等しいファクシミリデータとメッセージデータとを相互に関連付ける。これによって、受信側の端末機は、発信者の等しいファクシミリデータとメッセージデータとの関連付けをより確実にして、関連付けの誤りを減少させることができる。
【００２０】
本発明の端末機は、前記制御手段が、
（１）相互に関連付けるべきメッセージデータおよびファクシミリデータそれぞれの送信時に、関連付けるべきデータが存在する旨を示す識別データを、該メッセージデータおよび該ファクシミリデータにそれぞれ付与して送信し、
（２）メッセージデータおよびファクシミリデータの受信時に、受信された各データに識別データが付与されているか否かをそれぞれ判断し、識別データが付与されているならば、該受信された各データの関連付けの判断を行うことを特徴とする。
【００２１】
本発明に従えば、送信側の端末機の制御手段は、相互に関連付けるべきファクシミリデータおよびメッセージデータに識別データを付与して送信し、受信側の端末機の制御手段は、識別データが付与されたファクシミリデータおよびメッセージデータに対してだけ、関連付けの判断を行う。これによって、関連付けのあるデータと関連付けの無いデータとが混在して送受される状況下において、制御手段の処理量を抑制しつつ、関連付けの見落としを防ぐことができる。
【００２２】
本発明の端末機は、画像および画像化された文字列を、それぞれ印刷するための印刷手段をさらに含み、
前記制御手段は、受信されたメッセージデータおよびファクシミリデータが相互に関連付けられている場合、該ファクシミリデータ内の画像と該メッセージデータ内の文字列とを、前記印刷手段によって単一の記録紙上に印刷させることを特徴とする。
【００２３】
本発明に従えば、受信側の端末機において、相互に関連付けられたメッセージデータおよびファクシミリデータがある場合、該ファクシミリデータ内の画像と該メッセージデータ内の文字列とが単一の記録紙上に印刷される。これによって、端末機の利用者がメッセージデータおよびファクシミリデータの関連を明確に認識することができる。またこれによって、利用者によるメッセージデータの確認し忘れが、未然に防止される。
【００２４】
本発明の端末機は、前記制御手段が、
（１）ファクシミリデータに関連付けるべきメッセージデータに、該ファクシミリデータを中継配信すべき旨を示す識別データと中継配信先を示す宛先データとを付与して送信し、
（２）受信されたメッセージデータおよびファクシミリデータが相互に関連付けられている場合、中継配信すべき旨を示す識別データが該メッセージデータに付与されているならば、該メッセージデータに付与されている宛先データが示す中継配信先に、前記通信手段によって該ファクシミリデータを転送させることを特徴とする。
【００２５】
本発明に従えば、受信側の端末機において、相互に関連付けられたメッセージデータおよびファクシミリデータがある場合、該メッセージデータに中継配信すべき旨を示す識別データが付与されているならば、該メッセージデータに付与される宛先データが示す中継配信先に、該ファクシミリデータが中継配信される。これによって、ファクシミリデータの通信手順を変更することなく、端末機を遠隔操作してファクシミリデータの中継配信を実行させることができる。したがって、端末機の使い勝手が向上する。
【００２６】
本発明の端末機は、画像を印刷するための印刷手段と、
パスワードを入力するための入力手段とをさらに含み、
前記制御手段が、
（１）ファクシミリデータに関連付けるべきメッセージデータに、該ファクシミリデータを親展扱いすべき旨を示す識別データを付与して送信し、
（２）受信されたメッセージデータおよびファクシミリデータが相互に関連付けられている場合、親展扱いすべき旨を示す識別データが該メッセージデータに付与されているならば、予め定めるパスワードが入力手段から入力された後に、該ファクシミリデータ内の画像を、前記印刷手段によって記録紙上に印刷させることを特徴とする。
【００２７】
本発明に従えば、受信側の端末機において、相互に関連付けられたメッセージデータおよびファクシミリデータがある場合、該メッセージデータに親展扱いすべき旨を示す識別データが付与されているならば、既定のパスワードが入力されるまで、該ファクシミリデータの印刷が行われない。これによって、ファクシミリデータの通信手順を変更することなく、端末機にファクシミリデータを親展扱いさせることができる。したがって、端末機の使い勝手が向上する。
【００２８】
【発明の実施の形態】
図１は、本発明の実施の一形態である端末機１の構成を示すブロック図である。図２は、図１の端末機１を含む通信網２の構成を示す模式図である。図１と図２とを合わせて説明する。
【００２９】
図２の通信網２は、公衆回線網４と、１台以上のセンタ装置５と、２台以上の図１の端末機１とを含む。センタ装置５は、送信側の端末機１から送信されたメッセージデータを格納し、格納されたメッセージデータを受信側の端末機１に送信する。センタ装置５および端末機１は、公衆回線網４にそれぞれ接続されている。各センタ装置５および端末機１が接続される回線には、個別の加入者番号がそれぞれ割振られている。
【００３０】
図１の端末機１は、通信装置６と制御装置７とを最低限含み、好ましくは印刷装置８と入力装置９とをさらに含む。通信装置６は、ファクシミリデータを実時間型の通信手順に基づき公衆回線網４を介して送受し、かつ、メッセージデータを非実時間型の通信手順に基づき公衆回線網４を介して送受する。ファクシミリデータは、画像のデータを含む。メッセージデータは、文字コードで構成されている文字列のデータを含む。制御装置７は、図１の端末機１の構成部品６，８，９を統括的に制御している。制御装置７は、特に、単一の発信者から送信されたファクシミリデータおよびメッセージデータを通信装置６が受信した場合、該ファクシミリデータと該メッセージデータとを相互に関連付けて、関連付けられたメッセージデータに基づいて該ファクシミリデータを処理する。印刷装置８は、画像および画像化された文字列を記録紙に印刷する。入力装置９は、端末機１の利用者による指示操作のために用いられ、特にパスワードの入力に用いられる。
【００３１】
このように図１の端末機１は、実時間型の通信手順に基づいて送受されるファクシミリデータと、非実時間型の通信手順に基づいて送受されるメッセージデータとの両方を、取扱うことが可能である。さらに端末機１は、単一発信者から相互に異なる通信手順に基づいて送信された２種類のデータを関連づけて処理する。これによって、受信側の端末機１は、両データの関連を端末機１の利用者に明確に認識させることができる。またこれによって、メッセージデータを利用してファクシミリデータの処理手法を制御することが可能になるため、端末機１に付加機能を容易に付与することが可能になる。
【００３２】
また図１の端末機１の制御装置７は、受信されたメッセージデータおよびファクシミリデータが相互に関連付けられていると判断した場合、該ファクシミリデータ内の画像と該メッセージデータ内の文字列とを、前記印刷装置８によって単一の記録紙上に印刷させる。これによって、端末機１の利用者がメッセージデータおよびファクシミリデータの関連を明確に認識することができる。またこれによって、利用者によるメッセージデータの確認し忘れが、未然に防止される。
【００３３】
図１の端末機１の制御装置７は、具体的には、ファクシミリデータ受信時に得られる発信者認識番号と、メッセージデータ受信時に得られる発信者電話番号とを比較し、該発信者認識番号と該発信者電話番号とが一致するならば、該ファクシミリデータと該メッセージデータとが単一発信者から送信されてきたものであると判断する。発信者認識番号（Ｃａｌｌｅｒ−ＩＤ）は、実時間型のファクシミリ通信手順において、ファクシミリデータの受信に先立って公衆回線網４から着呼信号に付随して送信されてくる信号であり、ファクシミリデータの送信元の端末機に割振られる加入者番号と等しい。発信者電話番号は、非実時間型のメッセージ通信手順において、メッセージデータの受信プロトコル手順上で送信されてくる信号であり、メッセージデータの送信元の端末機に割振られる加入者番号と等しい。
【００３４】
このように図１の端末機１においては、ファクシミリデータに付随する発信者認識番号とメッセージデータに付随する発信者電話番号とを比較して、該ファクシミリデータと該メッセージデータとが同一発信者から送信されてきたか否かを判断している。これによって受信側の端末機１において、データの発信者が等しいかどうかを容易に判断することができるため、データ受信処理の複雑化が抑えられる。また図１の端末機１はファクシミリデータの送受とメッセージデータの送受との両方が可能なので、データの発信者は、図１の端末機１を用いてファクシミリデータとメッセージデータとをそれぞれ送信するだけで両データを関連付けることができるため、関連付けが容易になる。また、送信側の端末機１は既存の通信プロトコルに基づいてファクシミリデータおよびメッセージデータをそれぞれ送信するだけでよいので、端末機１における関連付けられたファクシミリデータおよびメッセージデータの送信処理の複雑化が抑えられる。
【００３５】
また図１の端末機１の制御装置７は、ファクシミリデータの受信時刻とメッセージデータの受信時刻とを比較し、ファクシミリデータの受信時刻とメッセージデータの受信時刻との時間差が予め定める基準時間未満であるならば、該ファクシミリデータと該メッセージデータとを相互に関連付ける。さらにまた図１の端末機１の制御装置７は、相互に関連付けるべきメッセージデータおよびファクシミリデータそれぞれの送信時に、単一の参照番号を該メッセージデータおよび該ファクシミリデータにそれぞれ付与して送信する。かつ、制御装置７は、単一の発信者から送信されたメッセージデータおよびファクシミリデータの受信時に、受信された各データに付与されている参照番号を比較し、メッセージデータの参照番号とファクシミリデータの参照番号とが一致するならば、該ファクシミリデータと該メッセージデータとを相互に関連付ける。これらによって、図１の端末機１において、ファクシミリデータとメッセージデータとの関連付けをより確実に判定することが可能になるので、関連付けの誤りが減少する。
【００３６】
また図１の端末機１の制御装置７は、相互に関連付けるべきメッセージデータおよびファクシミリデータそれぞれの送信時に、関連付けるべきデータが存在する旨を示す識別データを、該メッセージデータおよび該ファクシミリデータにそれぞれ付与して送信する。かつ、制御装置７は、メッセージデータおよびファクシミリデータの受信時に、受信された各データに識別データが付与されているか否かをそれぞれ判断し、各データに識別データが付与されているならば、受信された各データの発信者の判断を行う。このように受信側の端末機１においては、識別データが付与されたファクシミリデータおよびメッセージデータに対してだけ、関連付けの判断を行う。これによって、関連付けのあるデータと関連付けの無いデータとが混在して送受される状況下において、制御装置７の処理量を抑制しつつ、関連付けの見落としを防ぐことができる。
【００３７】
さらにまた図１の端末機１は、メッセージデータを用いて、送信側の端末機１から受信側の端末機１の動作を遠隔制御することが可能である。具体例としては、ファクシミリデータの中継配信およびファクシミリデータの親展処理が挙げられる。
【００３８】
中継配信を行わせる場合、送信側の端末機１の制御装置７は、中継配信すべきファクシミリデータに関連付けるべきメッセージデータに、該ファクシミリデータを中継配信すべき旨を示す識別データと中継配信先を示す宛先データとを付与して、通信装置６によって送信させる。受信側の端末機１では、受信されたメッセージデータおよびファクシミリデータが相互に関連付けられている場合、中継配信すべき旨を示す識別データが該メッセージデータに付与されているならば、該メッセージデータに付与されている宛先データが示す中継配信先に、通信装置６によって該ファクシミリデータを転送させる。これによって、ファクシミリデータの通信手順を変更することなく、端末機１を遠隔制御してファクシミリデータの中継配信を実行させることができるので、端末機１の使い勝手が向上する。
【００３９】
また親展扱いを行わせる場合、送信側の端末機１は、親展扱いすべきファクシミリデータに関連付けるべきメッセージデータに、該ファクシミリデータを親展扱いすべき旨を示す識別データを付与して、通信装置６によって送信させる。受信側の端末機１では、受信されたメッセージデータおよびファクシミリデータが相互に関連付けられている場合、親展扱いすべき旨を示す識別データが該メッセージデータに付与されているならば、予め定めるパスワードが入力装置９から入力された後に、該ファクシミリデータ内の画像を、印刷装置８によって記録紙上に印刷させる。このように、親展扱いすべきファクシミリデータは、既定のパスワードが入力されるまで、印刷が行われない。これによって、ファクシミリデータの通信手順を変更することなく、端末機１にファクシミリデータを親展扱いさせることができるので、端末機１の使い勝手が向上する。
【００４０】
図１の端末機１および図２の通信網２について、以下に詳細に説明する。図１および図２の例では、実時間型の通信手法として、ファクシミリ通信を用い、非実時間型の通信手法として、ストア＆フォワード型の通信手法の１つであるショートメッセージサービス（ＳＭＳ）を用いている。ＳＭＳは、非実時間型の通信手法の１つであり、公衆回線網４を媒体として、サービスプロバイダのショートメッセージサービスセンタであるセンタ装置５が、契約加入者からのメッセージデータをストア＆フォワードの形態で受配信するシステムである。ファクシミリ通信は、実時間型の通信手法の１つであり、公衆回線網４を経由しつつ、２つの端末機１の間でファクシミリデータをリアルタイムに直接送受するシステムである。
【００４１】
図２の通信網２は、ＳＭＳのセンタ装置５と図１の端末機１と公衆回線網４との他に、汎用端末機１１を含む。公衆回線網４は有線媒体に依る回線網であり、具体的には、公衆電話交換網（Ｐｕｂｌｉｃ　Ｓｗｉｔｃｈｅｄ　Ｔｅｌｅｐｈｏｎｅ　Ｎｅｔｗｏｒｋ：ＰＳＴＮ）で実現されている。センタ装置５は、いわゆるショートメッセージサービスセンタ（Ｓｈｏｒｔ　Ｍｅｓｓａｇｅ　Ｓｅｒｖｉｃｅ　Ｃｅｎｔｅｒ：ＳＭＳＣ）で実現されており、ショートメッセージサービスを提供しているサービス提供者が有するＳＭＳＣ群の少なくとも一部分を構成している。汎用端末機１１は、ファクシミリデータの送受とメッセージデータの送受とのうちの少なくとも一方が可能であるように構成されている。
【００４２】
センタ装置５、図１の端末機１、および汎用端末機１１は、公衆回線網４の加入者回線にそれぞれ接続されており、各機器が接続された加入者回線に割振られている加入者番号、すなわち各機器の電話番号が相互に異なる。図２の例では、２台のセンタ装置５が用意されている。第１のセンタ装置５は、公衆回線網４での加入者番号が「９８７　６５４　３２１」である加入者回線に接続されている。第２のセンタ装置５は、公衆回線網４での加入者番号が「８７６　５４３　２１０」である加入者回線に接続されている。また図２の例では、２台の図１の端末機１と２台の汎用端末機１１が用意されている。第１の図１の端末機１は、公衆回線網４での加入者番号が「１２３　４５６　７８９」である加入者回線に接続されている。第２の図１の端末機１は、公衆回線網４での加入者番号が「２３４　５６７　８９０」である加入者回線に接続されている。第１の汎用端末機１１は、公衆回線網４での加入者番号が「３４５　６７８　９０１」である加入者回線に接続されている。第２の汎用端末機１１は、公衆回線網４での加入者番号が「４５６　７８９　０１２」である加入者回線に接続されている。
【００４３】
図２において、第１の端末機１が第２の端末機１宛のファクシミリデータを送付する場合、実線１３で示すように、該ファクシミリデータは、送信側の第１の端末機１から公衆回線網４を経由して第２の端末機１に直接送られる。また、第１の端末機１が第２の端末機１宛のメッセージデータを送付する場合、破線１４で示すように、該メッセージデータは、送信側の第１の端末機１から公衆回線網４とセンタ装置５と公衆回線網４とをこの順で経由して、宛先である第２の端末機１に送られる。ショートメッセージサービス機能は公衆回線網４に接続される種々の端末機に搭載可能であるが、本発明ではファクシミリ装置に搭載し、ＳＭＳ機能とファクシミリ機能が有機的に動作作用することを目的としている。
【００４４】
図１の端末機１は、ＳＭＳ機能が搭載されたファクシミリ装置で実現されている。図１の端末機１は、通信装置６と制御装置７と印刷装置８と入力装置９との他に、画像読取装置２１、記憶装置２２、および表示装置２３をさらに含む。通信装置６は、網制御装置２４とモデム２５とを含む。入力装置９は、汎用操作部２６とＳＭＳ関連操作部２７とを含む。記憶装置２２は、不揮発性メモリ２８とメモリ装置２９とを含む。
【００４５】
網制御装置２４は、公衆回線網４が要求する電気的諸特性を有し、公衆回線網４に接続されている。網制御装置２４は、回線の状態監視と、公衆回線網４からの信号の受信と、公衆回線網４への信号の送信とを司る。モデム２５は、デジタル信号である画像のデータを公衆回線網４に適したアナログ信号に変調する処理と、公衆回線網４から網制御装置２４を介して受信されたファクシミリのアナログ信号を復調する処理とを行う。さらにモデム２５は、ＳＭＳ機能に関連するデータ信号の変復調、および発信者ＩＤ通告（ＣＬＩＰ）機能に関係するデータ信号の変復調をも行う。
【００４６】
画像読取装置２１は、原稿の送信および複写の為に用意されており、原稿を読取って画像のデータを作成する。原稿読取装置は、たとえば、レンズとＣＣＤ（Ｃｈａｒｇｅ　Ｃｏｕｐｌｅｄ　Ｄｅｖｉｃｅ：電荷結合素子）ラインセンサとを組合せた縮小光学系読取方式、およびロッドレンズアレーを用いた密着センサ方式のうちのいずれかの方式の画像読取装置によって実現される。印刷装置８は、公衆回線網４から受信されたファクシミリデータ内の画像、ＳＭＳのメッセージデータ内の文字列、および画像読取装置２１によって読取られた画像を印刷するユニットである。印刷装置８は、たとえば、サーマル式、電子写真方式、およびインクジェット方式のうちのいずれかの方式の印刷装置によって実現される。
【００４７】
入力装置９の汎用操作部２６は、電話番号の入力に代表されるような、端末機１全体に対する指示操作、およびＳＭＳ関連操作部２７からの操作以外の他の操作を、利用者に行わせる。ＳＭＳ関連操作部２７は、ＳＭＳのセンタ装置５の選択に代表されるような、ＳＭＳに関連する指示操作に特化したキーを含む。具体的には、図３に示すように、ＳＭＳ関連操作部２７は、ＳＭＳモードキー３１、リンクキー３２、新規メールキー３３、中継キー３４、親展キー３５、およびスタートキー３６を含む。表示装置２３は、制御装置７の制御に応答して、端末機１から利用者に提示すべき各種情報を表示させる。
【００４８】
メモリ装置２９は、データの書換えが可能なメモリによって実現されており、汎用メモリ部３７とＳＭＳ関連メモリ部３８とＦＡＸ関連メモリ部３９とを含む。汎用メモリ部３７は、端末機１全体に係るデータおよびステータスの格納に用いられ、ワーキングメモリならびにバッファを含む。ＳＭＳ関連メモリ部３８は、ショートメッセージサービスの送配信に関連する各種情報、ＳＭＳに特化したデータ、および送受信されるメッセージデータを蓄積する。ＦＡＸ関連メモリ部３９は、ファクシミリ通信に関する各種情報および送受信される画像のデータを蓄積する。不揮発性メモリ２８は、主として、制御装置７が実行すべきプログラムを格納している。また不揮発性メモリ２８は、多数の文字コードに個別に対応する文字フォントを記憶しているキャラクタゼネレータを含む。不揮発性メモリ２８は、たとえばＲＯＭ（Ｒｅａｄ　Ｏｎｌｙ　Ｍｅｍｏｒｙ）で実現される。
【００４９】
制御装置７は、記憶装置２２に記憶されるプログラムを読出し、記憶装置２２に記憶されるデータ、および端末機１内の各機能ユニット部６，８，９，２１〜２３からの各種情報を参照しつつ、該プログラムを実行する。具体的には、制御装置７は、記憶装置２２に記憶されるデータ、入力装置９から入力される情報、端末機１内の各機能ユニット部６，８，９，２１〜２３の状態を示す信号、および公衆回線網４からの信号に基づいて、端末機１全体の動作を決定し、端末機１全体の各所に指令を与え、さらに表示装置２３に表示の指示を出す。
【００５０】
図４は、図１の端末機１のＳＭＳ関連メモリ部３８の詳細構造を示す模式図である。ＳＭＳ関連メモリ部３８において、１件のメッセージデータ毎に、ヘッダ部４２とメッセージ領域４３とを含むブロック４１が１つ確保されている。ヘッダ部４２は、ＳＭＳＣ−ＩＤ４４、発信者−ＩＤ４５、受信時刻４６、出力フラグ４７、リンクフラグ４８、および参照番号（Ｒｅｆ．Ｎｏ）４９が格納される。図４の例では、２番目のブロックに、電話番号が「１２３　４５６　７８９」である端末機１（ＳＭＴＥ−Ａ）から送信され、リンク有りかつ参照番号が「１２３」であるメッセージデータを、電話番号が「２３４　５６７　８９０」である第２の端末機１（ＳＭＴＥ−Ｂ）が１３時３０分に受信して格納した例を示している。
【００５１】
メッセージ領域４３には、処理対象のメッセージデータのうち、本文である文字列のデータを構成する文字コードが格納される。ＳＭＳでは本文の文字列を構成する文字数の上限が既定されているため、メッセージ領域４３も上限文字数の文字列が格納可能なサイズに区画確保されている。たとえば欧州で用いられるＳＭＳのシステムでは、文字列の上限値は１６０ワードである。
【００５２】
図４のＳＭＳ関連メモリ部３８において、ＳＭＳＣ−ＩＤ４４は、処理対象のメッセージデータを配信したセンタ装置５（ＳＭＳＣ）の電話番号、すなわちメッセージデータの受信時に着呼信号に付随させて交換局から送信されて来るいわゆる「発信者−ＩＤ」である。発信者−ＩＤ４５は、ＳＭＳのメッセージデータの受信プロトコル手順上で伝送された処理対象のメッセージデータの送信者の電話番号である。処理対象のメッセージデータの送信者の電話番号は、メッセージデータの処理上で必要な際に、制御装置７に読出されて参照される。
【００５３】
図４のＳＭＳ関連メモリ部３８において、受信時刻４６は、処理対象のメッセージデータを受信した時刻である。受信時刻４６は、データの関連付けのチェックの際に参照される。出力フラグ４７は、処理対象のメッセージデータが印刷装置８および表示装置２３の少なくとも一方用いて出力されたか否かを示すフラグである。出力フラグ４７が“０”である場合、メッセージデータが未印字および未開封である旨を示し、“１”である場合、メッセージデータが印字出力済または開封済である旨を示す。リンクフラグ４８は、処理対象のメッセージデータが別途に送受されるファクシミリデータに関連付けられているか否か示す識別データである。リンクフラグ４８が“１”の場合は、処理対象のメッセージデータとファクシミリデータとの関連が有る、すなわち『リンク有り』である旨を示す。参照番号４９は、メッセージデータに送信者側で付与されるメッセージデータの一連番号である。参照番号４９は、メッセージを特定する為に参照される。
【００５４】
図５は、図１の端末機１のＦＡＸ関連メモリ部３９の詳細構造を示す模式図である。ＦＡＸ関連メモリ部３９は、ファクシミリ通信に係る各種情報と画像のデータとを格納する為のメモリであり、メッセージデータとファクシミリデータとの関連付けだけでなく、ファクシミリのメモリ代行受信および中継配信の際にも使用される。図５の例では、２番目のブロックに、電話番号が「１２３　４５６７８９」である第１の端末機１（ＳＭＴＥ−Ａ）から送信され、リンク有りかつ参照番号が「１２３」であるファクシミリデータを、電話番号が「２３４　５６７　８９０」である第２の端末機１（ＳＭＴＥ−Ｂ）が１３時３５分に受信して格納した例を示している。
【００５５】
ＦＡＸ関連メモリ部３９において、１件のファクシミリデータ毎に、ヘッダ部５２とメッセージ領域５３とを含むブロック５１が１つ確保されている。ヘッダ部は、ＳＭＳＣ−ＩＤ５４、発信者−ＩＤ５５、受信時刻５６、出力フラグ５７、リンクフラグ５８、および参照番号（Ｒｅｆ．Ｎｏ）５９を含む。ＦＡＸ関連メモリ部３９のヘッダ部５２に格納される各データ５４〜５９は、ＳＭＳ関連メモリ部３８のヘッダ部４２に格納される同名の各データ４４〜４９と、それぞれ意味が等しい。
【００５６】
図５のＦＡＸ関連メモリ部３９のヘッダ部５２において、発信者−ＩＤ５５は、ファクシミリ通信に先だって着呼信号に付随して伝送された処理対象のファクシミリデータの送信者の電話番号である。受信時刻５６は、処理対象のファクシミリデータを受信した時刻である。出力フラグ５７は、処理対象のファクシミリデータが印刷装置８および表示装置２３の少なくとも一方を用いて出力されたか否かを示すフラグである。リンクフラグ５８は、処理対象のファクシミリデータが別途に送受されるメッセージデータに関連付けられているか否か示す識別データである。リンクフラグ５８が“１”の場合は『リンク有り』である旨を示す。参照番号５９は、ファクシミリデータに送信者側で付与されるファクシミリデータの一連番号である。ＳＭＳＣ−ＩＤ５４は空欄になっている。
【００５７】
図６は、メッセージデータ６１の構成を示す模式図である。図６（Ａ）〜図６（Ｃ）に示すように、メッセージデータ６１は、本文部６２とヘッダ部６３とを含む。本文部６２は、メッセージの本文であって、文字コードで構成されている文字列のデータから成る。ヘッダ部６３は、各種の制御情報を含み、文字列のデータの先頭に付加される。ＳＭＳでは、メッセージデータ６１の上限ワード数が予め定められている。このために、図６（Ａ）〜図６（Ｃ）に示すように、メッセージデータ６１は、本文部６２とヘッダ部６３とを合わせた全体のワード数がメッセージデータの上限ワード数以下になるように、作成されている。
【００５８】
メッセージデータ６１がファクシミリデータに関連付けられている場合、図６（Ａ）に示すように、メッセージの本文部６２である文字列のデータの先頭に、リンク付けの識別データ６４と参照番号６５とを含むヘッダ部６３が付加されている。リンク付けの識別データ６４は、送信されるメッセージデータ６１と後続するファクシミリデータとを関連付けて取扱うように、受信側の端末機１に指示するためのものである。リンク付けの識別データ６４は、たとえば、全コードのうちのメッセージデータ６１の本文部６２で使用可能なコード以外の残余のコードを用いて定義されたコマンドキャラクタで実現されており、本実施形態では「８０ｈ」になっている。参照番号６５は、当該端末機１から送信される全メッセージデータおよびファクシミリデータの中で、相互に関連付けられるメッセージデータおよびファクシミリデータを特定する目的の番号であり、相互に関連付けられるメッセージデータおよびファクシミリデータの両方に同一の番号が割振られている。
【００５９】
また、メッセージデータ６１がファクシミリデータに関連付けられていて、かつ該ファクシミリデータを中継配信すべき場合、図６（Ｂ）に示すように、メッセージデータ６１のヘッダ部６３に、リンク付けの識別データ６４および参照番号６５の他に、中継配信の識別データ６６と１件以上の配信宛先６７とが追加されている。中継配信の識別データ６６と全配信宛先６７とは、本文部６２とリンク付けの識別データ６４および参照番号６５との間に付加される。中継配信の識別データ６６は、送信されるメッセージデータ６１に関連付けられているファクシミリデータを中継配信するように、受信側の端末機１に指示するためのものである。中継配信の識別データ６６は、リンク付けの識別データ６４と同様に、たとえば、全コードのうちのメッセージデータ６１の本文で使用可能なコード以外の残余のコードを用いて定義されたコマンドキャラクタで実現されており、本実施形態では「８１ｈ」になっている。配信宛先６７は、送信されるメッセージデータ６１に関連付けられるファクシミリデータを中継配信すべき宛先を特定するためのデータであり、本実施形態では、配信先の電話番号で実現される。
【００６０】
さらに、メッセージデータ６１がファクシミリデータに関連付けられていて、かつ該ファクシミリデータを親展扱いすべき場合、図６（Ｃ）に示すように、本文部６２とリンク付けの識別データ６４および参照番号６５との他に、親展扱いの識別データ６８が付加されている。親展扱いの識別データ６８は、たとえば、本文部６２とリンク付けの識別データ６４および参照番号６５との間に付加される。親展扱いの識別データ６８は、送信されるメッセージデータ６１に関連付けられているファクシミリデータを親展扱いとして処理するように、受信側の端末機１に指示するためのものである。親展扱いの識別データ６８は、リンク付けの識別データ６４と同様に、たとえば、全コードのうちのメッセージデータ６１の本文で使用可能なコード以外の残余のコードを用いて定義されたコマンドキャラクタで実現されており、本実施形態では「８２ｈ」になっている。
【００６１】
図７は、図１の端末機１における送信処理を説明するためのフローチャートである。ステップＡ０である図７の処理の開始時点において、図１の端末機１はＦＡＸモードかつ待機状態になっている。待機状態の端末機１は、回線を捕捉しておらず、かつ、公衆回線網４からの着信信号および端末機１内部からの発信信号を待っている状態にある。すなわち端末機１は、端末機１の利用者からの操作または公衆回線網４からの着呼（Ｃａｌｌ）を待っている。ＦＡＸモードとは、ファクシミリ通信に係る動作モードであり、ファクシミリデータの送受を主として行う。
【００６２】
まず、メッセージデータの送信手順を説明する。新規メッセージデータの送信時に、まず利用者は、入力装置９のＳＭＳ関連操作部２７内のＳＭＳモードキー３１を操作する。ステップＡ１において、制御装置７は、入力装置９への操作の有無を監視している。利用者によるＳＭＳモードキー３１の操作に応答して、利用者からＳＭＳ機能の実行が指示されたと判断されて、端末機１がステップＡ２〜ステップＡ８の処理を実行可能なＳＭＳモードに移行する。ＳＭＳモードとは、ＳＭＳに係る動作モードであって、メッセージデータの送受を主として行う。
【００６３】
ＳＭＳモード移行後、ステップＡ３において、端末機１はＳＭＳ関連操作部２７内の新規メールキー３３が操作されることを待つ。新たなメッセージを送信するために利用者が新規メールキー３３を操作したならば、端末機１の制御装置７は、メッセージデータの新規作成処理を開始する。
【００６４】
利用者は、新規メッセージデータの作成に際し、該新規メッセージデータにファクシミリデータを関連付けるか否か、すなわち該新規メッセージデータのリンクの有無を判断する。新規メッセージデータの送付後に送ろうとしているファクシミリデータを該新規メッセージデータに関連付ける場合、すなわち、該新規メッセージデータを未送信のファクシミリデータにリンク付けしたい場合、新規メッセージデータの本文の入力に先立ち、利用者が入力装置９のＳＭＳ関連操作部２７内のリンクキー３２を押下する。また、新規メッセージデータを送信済のファクシミリデータにリンク付けしたい場合も、新規メッセージデータの本文の入力に先立ち、利用者が入力装置９のＳＭＳ関連操作部２７内のリンクキー３２を押下してもよい。新規メールキー３３の押下を検知すると、ステップＡ４において、端末機１の制御装置７は、入力装置９のＳＭＳ関連操作部２７内のリンクキー３２が操作されたか否かを判断する。リンクキー３２が操作された場合、ステップＡ４からステップＡ５に進む。
【００６５】
ステップＡ５において端末機１の制御装置７は、新規メッセージデータに、リンク付けの識別データと参照番号とを生成し、新規メッセージデータのヘッダ部に付加する。参照番号は、新規メッセージデータに関連付けるべきファクシミリデータが送信済であれば、該ファクシミリデータに付加されている参照番号を用い、新規メッセージデータに関連付けるべきファクシミリデータが未送信であれば、新しい参照番号を制御装置７が生成して用いる。識別データおよび参照番号の付与後、ステップＡ５からステップＡ６に進む。
【００６６】
次いで利用者は、新規メッセージデータの本文として送信すべきテキストを作成して、入力装置９から端末機１に入力する。ステップＡ６において、制御部は、利用者による入力装置９への指示操作に応答して、ＳＭＳの通信規格に基づき、新規メッセージデータの本文となる文字列のデータを作成して該新規メッセージデータに組込む。これによって、図６（Ａ）に示すような構成の新規メッセージデータが完成する。ステップＡ４でリンクキー３２が操作されない場合、ステップＡ４からステップＡ６に直接進み、文字列のデータだけを含む新規メッセージデータを作成する。
【００６７】
ステップＡ７において、制御装置７は、予め契約登録されているセンタ装置５に対して回線を接続すべく、センタ装置５に対するダイアル処理および回線の接続処理を、通信装置６に行わせる。センタ装置５との間の回線が接続されれば、制御装置７は、ステップＡ８において、ステップＡ６で完成した新規メッセージデータを、宛先である受信側端末機１の電話番号と共に、センタ装置５に対して送信する。メッセージデータの送信の際には、送信元である送信側端末機１の電話番号も、センタ装置５に対して送信されている。
【００６８】
ステップＡ４においてリンクキー３２が操作されている場合、ステップＡ８ａに示すように、リンク付けの識別データと参照番号とがヘッダとして付加されているメッセージデータが、すなわち図６（Ａ）示すような、コマンドキャラクタ「８０ｈ」と参照番号「１２３」とをヘッダとしたメッセージデータが、センタ装置５に対して送信される。ステップＡ４においてリンクキー３２が操作されていない場合、ステップＡ８ｂに示すように、リンク付けの識別データと参照番号とが付加されていないメッセージデータが、センタ装置５に対して送信される。送信後、ステップＡ１４において、図７の処理が終了する。
【００６９】
続いて、ファクシミリデータの送信手順を説明する。ＳＭＳモードキー３１が操作されていない状況下では、端末機１はステップＡ９〜ステップＡ１３の処理を実行可能なＦＡＸモードを維持している。このような状況下において、利用者はまず、送信すべき原稿を端末機１の画像読取装置２１に挿入する。次いで、ステップＡ１０〜ステップＡ１１において、ファクシミリデータに付加すべきデータの作成を行う。ステップＡ１０〜ステップＡ１１は、ステップＡ４〜ステップＡ５とそれぞれ同等の処理である。すなわち、利用者は、新規ファクシミリデータの作成に際し、新規ファクシミリデータにメッセージデータをリンク付ける場合、つまり新規ファクシミリデータに未送信または送信済のメッセージデータを関連付ける場合、利用者が入力装置９のＳＭＳ関連操作部２７内のリンクキー３２を押下する。ステップＡ１０において、端末機１の制御装置７は、入力装置９のＳＭＳ関連操作部２７内のリンクキー３２が操作されたか否かを判断する。リンクキー３２が操作された場合、ステップＡ１０からステップＡ１１に進む。
【００７０】
ステップＡ１１において端末機１の制御装置７は、新規ファクシミリデータに付随させるべきリンク付けの識別データと参照番号とを作成する。参照番号は、新規ファクシミリデータに関連付けるべきメッセージデータが送信済であれば、該メッセージデータに付加されている参照番号を用い、該関連付けるべきメッセージデータが未送信であれば、新しい参照番号を制御装置７が生成して用いる。本実施形態では、リンク付けの識別データおよび参照番号の送信に、ＩＴＵ（
Ｉｎｔｅｒｎａｔｉｏｎａｌ　Ｔｅｌｅｃｏｍｍｕｎｉｃａｔｉｏｎ　Ｕｎｉｏｎ　：国際電気通信連合）−ＴのＴ−３０手順で定義されている非標準を示すＮＳＳ（Ｎｏ−Ｓｔａｎｄａｒｄ　ｆａｃｉｌｉｔｉｅｓ　Ｓｅｔ−ｕｐ）オプションプビットが用いられる。識別データおよび参照番号の作成後、ステップＡ１１からステップＡ１２に進む。ステップＡ１０でリンクキー３２が操作されない場合、ステップＡ１０からステップＡ１２に直接進む。
【００７１】
ステップＡ１２において、制御装置７は、送信先である受信側端末機１に対して回線を接続すべく、受信側端末機１に対するダイアル処理および回線の接続処理を、通信装置６に行わせる。受信側端末機１との間に回線が接続されれば、制御装置７は、ステップＡ１２において、画像読取装置２１に原稿を読取らせ、得られる画像のデータとステップＡ１１で作成された参照データを含むファクシミリデータを生成して、ステップＡ１１で作成されたリンク付けの識別データと共に、受信側端末機１に対してファクシミリ送信する。なお、ＮＳＳオプションビットは、ＩＴＵ−ＴのＴ−３０手順において、フェイズＡとフェイズＢとの間に送信される。またファクシミリデータの送信の際には、送信元である送信側端末機１の電話番号も、受信側端末機１に対して送信されている。送信後、ステップＡ１４において、図７の処理が終了する。
【００７２】
ステップＡ１０においてリンクキー３２が操作されている場合、ステップＡ１３ａに示すように、リンク付けの識別データと参照番号とが付加されているファクシミリデータが、すなわちＮＳＳのオプションビットに「リンク有り」を示すビットが含まれ、かつ参照番号「１２３」を含むファクシミリデータが、受信側端末機１に対してファクシミリ送信される。ステップＡ１０においてリンクキー３２が操作されていない場合、ステップＡ１３ｂに示すように、ファクシミリデータだけが受信側端末機１に対して標準モードでファクシミリ送信される。
【００７３】
図８は、図１の端末機１における受信処理を説明するためのフローチャートである。ステップＢ０である図８の処理の開始時点において、図１の端末機１は待機状態になっている。待機状態の端末機１は、回線を捕捉しておらず、かつ、公衆回線網４からの着信信号および端末機１内部からの発信信号を待っている状態にある。
【００７４】
最初に、公衆回線網４に設置されていてＣａｌｌｅｒ−ＩＤサービス（発信者番号通知）を実行している交換機が、図１の端末機１への接続要求を示す第１回目着呼信号と、該端末機１に対して回線の接続を要求している送信側機器の発信者ＩＤとを、端末機１に対して順次送信してくる。公衆回線網４からの信号入来に応答して、端末機１の通信装置６は、ステップＢ１において入来する第１回目着呼信号を受信して、かつ、ステップＢ２において発信者ＩＤを受信する。送信側機器の発信者ＩＤは、たとえば、送信側機器に割振られている電話番号と等価である。
【００７５】
図１の端末機１の制御装置７は、ステップＢ３において、受信された発信者ＩＤと予め登録されているセンタ装置５の電話番号とを比較する。登録済のセンタ装置５の電話番号は、端末機１の利用者が契約登録しているサービスプロバイダが用意しているセンタ装置５であり、たとえば利用者によって端末機１に予め登録されている。制御装置７は、登録済のセンタ装置５の電話番号と受信された発信者ＩＤとが一致する場合、契約登録しているセンタ装置５からのコールであると判断して、ステップＢ３からステップＢ１５以後の処理を実行可能なＳＭＳモードに移行し、両者が一致しない場合、ステップＢ３からステップＢ４以後の処理を実行可能なＦＡＸモードに移行する。ＳＭＳモードは、メッセージデータの送受に係るモードであり、ＦＡＸモードは、ファクシミリデータの送受に係るモードである。
【００７６】
最初に、ＦＡＸモードの処理手順を説明する。ＦＡＸモードでは、最初に、ステップＢ５において、端末機１の通信装置６が、ＩＴＵ−ＴのＴ−３０手順に基づき、交換機を経由して、ファクシミリデータの送信側の機器との間の回線を接続する。回線接続の過程において、通信装置６は、ＩＴＵ−ＴのＴ−３０手順のフェイズＡ（ＰｈａｓｅＡ）からフェイズＢ（ＰｈａｓｅＢ）までの信号が送受される。
【００７７】
次いでステップＢ６において、端末機１の制御装置７が、ＩＴＵ−ＴのＴ−３０手順のフェイズＡからフェイズＢまでの信号内にＮＳＳ拡張オプションビットが含まれ、かつメッセージデータとのリンク有を示す識別データとなるビットが該ＮＳＳ拡張オプションビット内に有るか否かを判断する。リンク有を示す識別データがＮＳＳ拡張オプションビット内に有る場合、実行中の通信で受信すべきファクシミリデータが同一発信者からのメッセージデータに関連づけられているので、ステップＢ６からステップＢ７に進む。
【００７８】
ステップＢ７において、端末機１の制御装置７が、既に受信されているメッセージデータの中から、実行中の通信で受信すべきファクシミリデータに関連付けられるメッセージデータを検索する。たとえば、メモリ装置２９内のＳＭＳ関連メモリ部３８のブロック４１毎に、ヘッダ部４２内のパラメータをチェックして、該パラメータが所定の条件を満たす場合に、該ヘッダ部４２が属するブロック４１に記憶されるメッセージデータが受信すべきファクシミリデータに関連付けられていると判断される。受信すべきファクシミリデータと関連付けられるメッセージデータがＳＭＳ関連メモリ部３８内に存在する場合、該メッセージデータは受信済であるので、ステップＢ７からステップＢ８に進む。
【００７９】
ステップＢ７の検索処理において、具体的には、ＳＭＳ関連メモリ部３８のブロック４１のヘッダ部４２に記憶される発信者ＩＤ４５が受信された発信者ＩＤと一致する場合、該ヘッダ部４２に記憶される受信時刻４６から現在実行中の通信の開始時刻までの経過時間が予め定める基準時間未満である場合、該ヘッダ部４２に記憶される出力フラグ４７がメッセージデータの未出力を示す場合、該ヘッダ部４２に記憶されるリンクフラグ４８がリンク有を示す場合、および該ヘッダ部４２に記憶される参照番号４９が受信されたＮＳＳ拡張オプションビット内に含まれる参照番号と一致する場合、該ヘッダ部４２が属するブロック４１に記憶されるメッセージデータが受信すべきファクシミリデータに関連付けられるものであると判断される。前記ヘッダ部４２に記憶される発信者ＩＤ４５が受信された発信者ＩＤと異なる場合、該ヘッダ部４２が属するブロック４１に記憶されるメッセージデータは受信すべきファクシミリデータとは無関係であると判断される。また前記ヘッダ部４２に記憶される発信者ＩＤ４５が受信された発信者ＩＤと一致していて、かつ、受信時刻４６と出力フラグ４７とリンクフラグ４８と参照番号４９とのうちで少なくとも１つが該当しない場合、該ヘッダ部４２が属するブロック４１に記憶されるメッセージデータは受信すべきファクシミリデータとは無関係であると判断される。
【００８０】
関連付けられるメッセージデータがＳＭＳ関連メモリ部３８内に存在する場合、ステップＢ８において、端末機１の制御装置７は、該メッセージデータの本文である文字列のデータをＳＭＳ関連メモリ部３８から読出して画像化する。たとえば制御装置７は、読出された文字列のデータを構成する１以上の文字コードを、端末機１のメモリ装置２９に予め内蔵されているキャラクタゼネレータを参照しつつ、それぞれ文字フォント化して並べる。ステップＢ９において、端末機１の通信装置６は、交換機を経由して送信側機器から送られるファクシミリデータを受信する。制御装置７は、ステップＢ１０において、受信されたファクシミリデータの画像データと画像化された文字列のデータとを合成して、ステップＢ１１において合成された画像のデータを印刷装置８によって印刷出力させる。出力後、ステップＢ２３で図８の受信処理を終了し、端末機１は待機状態に戻る。これによって端末機１は、受信されたファクシミリデータを関連付けられている受信済のメッセージデータと関連づけて、該ファクシミリデータの画像と該メッセージデータの文字列とを単一の用紙に印刷出力させることができる。なお、メッセージデータの出力後、ＳＭＳ関連メモリ部３８内で該メッセージデータに付随されている出力フラグを、出力済を示す状態に変更しておくことが好ましい。
【００８１】
ステップＢ６において、リンク有を示す識別データがＮＳＳ拡張オプションビット内に無い場合、実行中の通信で受信すべきファクシミリデータは単独で処理すべきものであり、ステップＢ６からステップＢ１２に進む。ステップＢ１２において、端末機１の通信装置６は、ステップＢ９と同様に、交換機を経由して送信側機器から送られるファクシミリデータを受信する。次いで制御装置７は、ステップＢ１１において、受信されたファクシミリデータの画像のデータを印刷装置８によって印刷出力させる。出力後、ステップＢ２３で図８の受信処理を終了し、端末機１は待機状態に戻る。これによって図１の端末機１は、メッセージデータと関連付けられているファクシミリデータの処理と、独立したファクシミリデータの処理とを、両立させることができる。
【００８２】
ステップＢ７において、受信すべきファクシミリデータと関連付けられるメッセージデータがＳＭＳ関連メモリ部３８内に存在しない場合、該メッセージデータは該ファクシミリデータの受信後に送信されてくると予想される。送信側ではメッセージデータをファクシミリデータに先んじて送信したにも関わらずファクシミリデータが関連付けられるメッセージデータに先行して到来する理由としては、メッセージデータの中継先であるセンタ装置５、回線、および受信側端末機１のうちの少なくとも１つが、メッセージデータ送信時にビジー状態であることが考えられる。この場合、ファクシミリデータ受信後にメッセージデータが入来することを期待して、ステップＢ７からステップＢ１３に進み、端末機１の通信装置６は、ステップＢ９と同様に、交換機を経由して送信側機器から送られるファクシミリデータを受信する。次いでステップＢ１４において、制御装置７は、受信されたファクシミリデータを即座に印刷する代わりに、メモリ装置２９のＦＡＸ関連メモリ部３９に記憶させる。記憶に際して、ファクシミリデータの画像データをブロック５１に記憶させるだけでなく、受信されている発信者ＩＤと受信時刻とをヘッダ５２部に記憶させ、かつ、出力フラグを未出力の状態に設定し、リンクフラグをリンク有りに設定しておく。記憶後、ステップＢ２３で図８の受信処理を終了し、端末機１は待機状態に戻る。これによって端末機１は、一時的に格納されたファクシミリデータに関連するメッセージデータの入来を待つことが可能になる。
【００８３】
次いで、ＳＭＳモードの処理手順を説明する。ステップＢ３の判定後、ＳＭＳモードに移行した場合、最初に、ステップＢ１６において、端末機１の通信装置６が、ＳＭＳの通信プロトコル手順に基づき、交換機を経由して、メッセージデータの送信側の機器との間の回線を接続する。次いで端末機１の制御装置７は、ステップＢ１７において、プロトコル手順上で回線接続時に公衆回線網４から伝送されてきて通信装置６が受信した信号の中から、送信元電話番号、すなわち通信相手の電話番号を抽出する。
【００８４】
次いでステップＢ１８において、通信装置６は、交換機を経由して送信側の機器から送られたメッセージデータを受信する。ステップＢ１９において制御装置７は、ＳＭＳ関連メモリ部３８内の利用可能ないずれかのブロック４１に、受信されたメッセージデータを暫定的に格納する。具体的には、ステップＢ２で受信された発信者ＩＤであるＳＭＳＣ−ＩＤ、メッセージデータの受信プロトコル内で受信されたメッセージデータの送信者の発信者ＩＤ、該メッセージデータの受信時刻がブロック４１のヘッダ部４２にそれぞれ格納され、該ブロック４１の出力フラグが未出力の状態に設定され、受信されたメッセージデータに付随するリンクフラグおよび参照番号と該メッセージデータの本体である文字データとが該ブロック４１に格納される。
【００８５】
次いでステップＢ２０において、端末機１の制御装置７が、受信されたメッセージデータのヘッダ部に、ファクシミリデータとのリンク有を示す識別データであるリンクフラグが有るか否かを判断する。リンク有を示す識別データがメッセージデータに付随している場合、実行中の通信で受信されたメッセージデータが同一発信者からのファクシミリデータに関連づけられているので、ステップＢ２０からステップＢ２１に進む。
【００８６】
ステップＢ２１において、端末機１の制御装置７が、既に受信されていてかつ未出力であるファクシミリデータの中から、実行中の通信で受信されたメッセージデータに関連付けられるファクシミリデータを検索する。たとえば、メモリ装置２９内のＦＡＸ関連メモリ部３９のブロック５１毎に、ヘッダ部５２内のパラメータをチェックして、該パラメータが所定の条件を満たす場合に、該ヘッダ部５２が属するブロックに記憶されるファクシミリデータが受信されたメッセージデータに関連付けられるものであると判断される。受信されたメッセージデータと関連付けられるメッセージデータがＦＡＸ関連メモリ部３９内に存在する場合、該ファクシミリデータは受信済であるので、ステップＢ２１からステップＢ２２に進む。
【００８７】
ステップＢ２１の検索処理において、具体的には、ＦＡＸ関連メモリ部３９のブロックのヘッダ部５２に記憶される発信者ＩＤ５５が実行中の通信中にセンタ装置５から通知されたメッセージデータの送信者の発信者ＩＤと一致する場合、該ヘッダ部５２に記憶される受信時刻５６から現在実行中の通信の開始時刻までの経過時間が予め定める基準時間未満である場合、該ヘッダ部５２に記憶される出力フラグ５７がメッセージデータの未出力を示す場合、該ヘッダ部５２に記憶されるリンクフラグ５８がリンク有を示す場合、および該ヘッダ部５２に記憶される参照番号５９が受信されたメッセージデータに付随する参照番号と一致する場合、該ヘッダ部５２が属するブロック５１に記憶されるファクシミリデータが受信されたメッセージデータに関連付けられるものであると判断される。前記ヘッダ部５２に記憶される発信者ＩＤ５５が通知された送信者の発信者ＩＤと異なる場合、該ヘッダ部５２が属するブロック５１に記憶されるファクシミリデータは受信されたメッセージデータとは無関係であると判断される。また前記ヘッダ部５２に記憶される発信者ＩＤ５５が通知された発信者ＩＤと一致していて、かつ、受信時刻５６と出力フラグ５７とリンクフラグ５８と参照番号５９とのうちで少なくとも１つが該当しない場合、該ヘッダ部５２が属するブロック５１に記憶されるファクシミリデータは受信されたメッセージデータとは無関係であると判断される。
【００８８】
関連付けられるファクシミリデータがＦＡＸ関連メモリ部３９内に存在する場合、ステップＢ２２において、端末機１の制御装置７は、該ファクシミリデータの画像のデータをＦＡＸ関連メモリ部３９から読出し、かつ、ステップＢ８と同様の手順で、受信されたメッセージデータの文字列のデータを画像化する。次いでステップＢ１０において、端末機１の通信装置６は、ステップＢ１０において、読出されたファクシミリデータの画像と画像化された文字列とを合成し、ステップＢ１１において、合成された画像のデータを印刷装置８によって印刷出力させる。出力後、ステップＢ２３で図８の受信処理を終了し、端末機１は待機状態に戻る。これによって端末機１は、受信されたメッセージデータを関連付けられている受信済のファクシミリデータと関連づけて、該ファクシミリデータの画像と該メッセージデータの文字列とを単一の用紙に印刷出力させることができる。なお、メッセージデータの出力後、ＳＭＳ関連メモリ部３８内で該メッセージデータに付随されている出力フラグ４７およびＦＡＸ関連メモリ部３９内でファクシミリデータに付随されている出力フラグ５７を、出力済を示す状態に変更しておくことが好ましい。
【００８９】
ステップＢ２０において、リンク有を示す識別データが無い場合、受信されたメッセージデータは独立して処理するためのものであるため、ステップＢ２０からステップＢ２３に進み、ステップＢ２３で図８の受信処理を終了し、端末機１は待機状態に戻る。これによって図１の端末機１は、ファクシミリデータと関連付けられているメッセージデータの処理と、独立したメッセージデータの処理とを両立させることができる。ＳＭＳ関連メモリ部３８に記憶されているリンク無のメッセージデータは、受信処理とは別個に、利用者からの操作指示に応答して、表示装置２３を用いる表示出力または記録紙への印刷出力によって、利用者に提示される。
【００９０】
ステップＢ２１において、受信されたメッセージデータと関連付けられるファクシミリデータがＦＡＸ関連メモリ部３９内に存在しない場合、該ファクシミリデータは該メッセージデータの受信後に送信されてくると予想される。この場合、ファクシミリデータ受信後にメッセージデータが入来することを期待して、ステップＢ２１からステップＢ２３に進み、ステップＢ２３で図８の受信処理を終了し、端末機１は待機状態に戻る。これによって図１の端末機１は、格納されたメッセージデータに関連するファクシミリデータの入来を待つことが可能になる。
【００９１】
以上のように、図７および図８で説明した送信処理および受信処理によって、図１の端末機１は、ファクシミリ通信に代表される実時間型の通信手法と、ＳＭＳに代表される非実時間型の通信手法とを、１台の端末機１で併用することが可能になる。すなわち図１の端末機１は、公衆回線網４およびセンタ装置５経由で受信されたメッセージデータと、センタ装置５を経ることなく公衆回線網４を直接経由して受信されるファクシミリデータとの両方を、受信し処理することができる。さらに図１の端末機１は、同一発信者から送付されるメッセージデータおよびファクシミリデータを関連付け、両データを合成して印刷出力することによって、両データの関連が利用者に明解に認識させることができる。
【００９２】
なお、図７において、ステップＡ５，Ａ１１の識別データおよび参照番号の付与処理を省略して、既存のファクシミリデータおよびメッセージデータと等しい構成のデータを送信するようにしてもよい。また図８において、ステップＢ６、Ｂ２０のリンクの有無の判定処理を省略して、受信された全てのファクシミリデータおよびメッセージデータに関して関連するメッセージデータおよびファクシミリデータを検索するようにしてもよい。さらにまたステップＢ７、Ｂ２１の関連付けられるメッセージデータおよびファクシミリデータの検索処理においては、該各データの受信に関連して受信される発信者ＩＤと記憶されているデータに付随する発信者ＩＤとを最低限比較すればよく、受信時刻と出力フラグとリンクフラグとの判定処理は適宜割愛してもよい。ステップＡ５，Ａ１１，Ｂ６，Ｂ２０，Ｂ７，Ｂ２１の各判定処理を少なくとも１つ省略した場合、処理が簡略化されて制御装置７の負荷が軽減される。ステップＡ５，Ａ１１，Ｂ６，Ｂ２０，Ｂ７，Ｂ２１の各判定処理を全て行う場合、メッセージデータとファクシミリデータとの関連付けの判断精度が最も向上する。
【００９３】
またＳＭＳは、本来は、ストア＆ビュー／プリントアウト（Ｓｔｏｒｅ＆Ｖｉｅｗ
／Ｐｒｉｎｔ−ｏｕｔ）タイプ、いわゆるメールタイプの通信手順である。ストア＆ビュー／プリントアウトタイプとは、受信されたメッセージデータを端末機１に一旦格納させ、受信動作とは別途の操作によって該メッセージデータを閲覧（Ｖｉｅｗ）させたり印刷出力させたりする手法である。このためＳＭＳの端末機１では、メッセージデータの閲覧および印刷出力を利用者が失念することを防止することが要求されている。図１の端末機１では、相互に関連するファクシミリデータとメッセージデータの両方の受信が完了した時点で両者を一括して印刷出力するので、メッセージデータの印刷出力が確実になされる。
【００９４】
またメッセージデータは、機械可読（Ｍａｃｈｉｎｅ　Ｒｅａｄａｂｌｅ）である文字コードからなる方式のデータである。このようなメッセージデータの構成を活用し、ファクシミリデータに関連付けられるメッセージデータ内にファクシミリデータの処理に係る制御コードを挿入することによって、図１の端末機１のファクシミリ機能に付加機能を持たせることが可能になる。付加機能としては、たとえば、ファクシミリデータの中継配信およびファクシミリデータの親展扱いが挙げられる。
【００９５】
ファクシミリデータの中継配信処理について、以下に説明する。メッセージデータとファクシミリデータとの関連付け送信時に、該ファクシミリデータを受信側の端末機１によって１台以上の配信先の端末機１に中継送信させたい場合、ＳＭＳ通信によって、該ファクシミリデータを中継配信すべき旨を示す識別データを含むメッセージデータを、該ファクシミリデータに先行して送信する。このためには、図７の送信処理中のメッセージデータ送信処理時に、図１の端末機１の利用者は、ＳＭＳ関連操作部２７のリンクキー３２を押下する操作だけでなく、図３に示すＳＭＳ関連操作部２７の中継キー３４を押下する操作をも行う。これによって端末機１の制御装置７は、図６（Ｂ）で示すような構成のメッセージデータを作成し、該メッセージデータを送信する。すなわち、中継配信扱いを指示するメッセージデータ６１は、リンクフラグ６４および参照番号６５に引続き、関連付けられているファクシミリデータを中継配信すべき旨を指示するための中継コマンドキャラクタ６６と配信先の端末機１の電話番号６７とがヘッダ部に付加され、かつ、配信先端末機１の電話番号に引続いて該当する中継配信のメッセージ本体６２が配置された構成になっている。親展コマンドキャラクタは、図６の例では「８１ｈ」であり、３台の配信先端末機１の電話番号は、「５６７　８９０　１２３」「６７８　９０１　２３４」「７８９　０１２　３４５」である。
【００９６】
中継配信扱いを指示するメッセージデータおよび該メッセージデータに後続するファクシミリデータを受信した端末機１は、該メッセージデータ内のコマンドを解釈し、該メッセージデータおよび該ファクシミリデータはＳＭＳ関連メモリ部３８およびＦＡＸ関連メモリ部３９にそれぞれ格納する。制御装置７は、格納されたメッセージデータに記された電話番号に順次ダイアルして、各電話番号が付された端末機１に格納されたファクシミリデータをそれぞれファクシミリ送信する。これによって、図１の端末機１に中継配信を容易に実行させることができる。
【００９７】
ファクシミリデータの親展扱い処理について、以下に説明する。メッセージデータとファクシミリデータとの関連付け送信時に、該ファクシミリデータを親展（コンフィデンシャル：Ｃｏｎｆｉｄｅｎｔｉａｌ）扱いで送信したい場合、ＳＭＳによって、該ファクシミリデータを親展扱いすべき旨を示す識別データを含むメッセージデータを、該ファクシミリデータに先行して送信する。このためには、図７の送信処理中のメッセージデータ送信処理時に、図１の端末機１の利用者は、ＳＭＳ関連操作部２７のリンクキー３２を押下する操作だけでなく、図３に示すＳＭＳ関連操作部２７の親展キー３５を押下する操作をも行う。これによって端末機１の制御装置７は、図６（Ｃ）で示すような構成のメッセージデータを作成し、該メッセージデータを送信する。すなわち、親展扱いを指示するメッセージデータ６１は、リンクフラグ６４および参照番号６５に引続き、関連付けられているファクシミリデータを親展扱いすべき旨を指示するための親展コマンドキャラクタ６８がヘッダ部に付加され、かつ、親展コマンドキャラクタ６８に引続いて該当する親展のメッセージ本体６２が配置された構成になっている。親展コマンドキャラクタ６８は、図６の例では「８２ｈ」である。
【００９８】
親展扱いを指示するメッセージデータを受信した端末機１は、該メッセージデータ内のコマンドを解釈し、受信されたメッセージデータはＳＭＳ関連メモリ部３８に格納する。さらに制御装置７は、親展扱いを指示するメッセージデータに関連するファクシミリデータも、通信装置６で該メッセージデータに後続して受信された後に、ＦＡＸ関連メモリ部３９に格納する。制御装置７は、入力装置９から予め定める適正なパスワードの入力がない限り、格納されたメッセージデータおよびファクシミリデータの印刷出力をしない制御を行う。これによって、図１の端末機１にファクシミリデータを親展扱いで処理されることが容易になる。
【００９９】
以上説明したように、図１の端末機１は、メッセージデータの送受信と、ファクシミリデータの送受信の双方が可能な通信機能を備えている。かつ、図１の端末機１は、メッセージデータおよびファクシミリデータを受信する際に、データの発信者を知る手法として、メッセージデータの受信の際はＳＭＳのプロトコル手順上に付帯されている送信側の電話番号を受信し、ファクシミリデータの受信の際は公衆回線網４の交換網端局が着呼信号に付随させて送信して来る発信者識別信号（Ｃａｌｌｅｒ−ＩＤ：ＣＩＤ）を受信する。さらに図１の端末機１は、メッセージデータおよびファクシミリデータの受信の際にそれぞれ受信された送信側電話番号および発信者識別信号を該データに関連づけてメモリ装置２９に記憶しており、必要に応じて該送信側電話番号および発信者識別信号を読出し両者を比較することによって、メッセージデータおよびファクシミリデータが同一発信者から送信されているかどうかを判定している。
【０１００】
さらに加えて、図１の端末機１は、相互に関連付けるべきメッセージデータとファクシミリデータとの対が受信側端末機１において的確に判定できるように、コマンドキャラクタ、リンク付けフラグ、および参照番号（Ｒｅｆ．Ｎｏ）を、メッセージデータおよびファクシミリデータ送信時に送信側端末機１で生成し該各データにそれぞれ付加させておき、受信側端末機１では、メッセージデータおよびファクシミリデータ受信時に、該データに付加された各種情報を受信段階で解読し、データの制御および関連付けの判定の照合に用いている。
【０１０１】
以上の構成によって、ＳＭＳ機能付きファクシミリ装置である図１の端末機１は、メッセージデータとファクシミリデータとの関連付けを示す情報を、該データの送信時に簡単に付加することができる。さらに図１の端末機１は、メッセージデータおよびファクシミリデータの受信時に、該データに付加された各種情報と、メッセージデータ受信時のプロトコル上で得られる送信者ＩＤと、ファクシミリデータ受信時の公衆回線網４が提供する発信者ＩＤとを参照することによって、非実時間形の通信手法であるＳＭＳのメッセージデータと、実時間形の通信手法であるファクシミリ通信のファクシミリデータとを、有機的に結合することが容易になる。この結果、ＳＭＳおよびファクシミリ通信の欠点の補完効果とＳＭＳおよびファクシミリ通信利点の相乗効果との両方を得た、利便性の高い通信手法の提供が可能になる。
【０１０２】
本実施の形態の端末機１は本発明の通信装置の例示であり、主要な構成および動作が等しければ、他の様々な形で実現することができる。また図１の端末機の各構成部品６〜９の詳細な構成および動作は、同じ効果が得られるならば、上述の構成および動作に限らず、他の構成および動作によって実現されてもよい。
【０１０３】
【発明の効果】
以上のように本発明によれば、端末機は、実時間型の通信手順に基づくファクシミリデータの送受と、非実時間型の通信手順に基づくメッセージデータの送受との両方を、実行することができる。さらに端末機は、単一発信者から相互に異なる通信手順に基づいて送信されたファクシミリデータおよびメッセージデータを受信した場合、両データを関連づけて処理する。これによって、受信側の端末機は、両データの関連を端末機の利用者に明確に認識させることができる。またこれによって、メッセージデータを利用して端末機に付加機能を容易に付与することができる。
【０１０４】
また本発明によれば、端末機において、ファクシミリデータに付随する発信者認識番号とメッセージデータに付随する発信者電話番号を比較することによって、該ファクシミリデータと該メッセージデータとが同一発信者から送信されてきたか否かが判断される。これによって、ファクシミリデータとメッセージデータとの関連付けが容易になり、かつデータ送信処理およびデータ受信処理の複雑化が抑えられる。
【０１０５】
さらにまた本発明によれば、端末機において、ファクシミリデータの受信時刻とメッセージデータの受信時刻との時間差と所定の基準時間とを比較して、該ファクシミリデータと該メッセージデータとが関連付けられているか否かを判断している。これによって、受信側の端末機は、発信者の等しいファクシミリデータとメッセージデータとの関連付けをより明確に判定することができる。
【０１０６】
また本発明によれば、送信側の端末機において、相互に関連付けるべきファクシミリデータおよびメッセージデータに単一の参照番号が付与されており、受信側の端末機において、参照番号が相互に等しいファクシミリデータとメッセージデータとが相互に関連付けられる。これによって、受信側の端末機は、発信者の等しいファクシミリデータとメッセージデータとの関連付けをより明確に判定することができる。
【０１０７】
さらにまた本発明によれば、送信側の端末機において、相互に関連付けるべきファクシミリデータおよびメッセージデータに識別データが付加され、受信側の端末機において、識別データが付与されたファクシミリデータおよびメッセージデータに対してだけ、関連付けが判断される。これによって端末機は、関連付け判断の処理量を抑制しつつ、関連付けの見落としを防ぐことができる。
【０１０８】
また本発明によれば、受信側の端末機において、相互に関連付けられたメッセージデータおよびファクシミリデータがある場合、該ファクシミリデータ内の画像と該メッセージデータ内の文字列とが単一の記録紙上に印刷される。これによって、端末機の利用者がメッセージデータおよびファクシミリデータの関連を明確に認識することができる。
【０１０９】
さらにまた本発明によれば、受信側の端末機において、ファクシミリデータに関連付けられたメッセージデータに中継配信すべき旨を示す識別データが付与されているならば、該メッセージデータに付与される宛先データが示す中継配信先に、該ファクシミリデータが中継配信される。これによって、端末機の使い勝手が向上する。
【０１１０】
また本発明によれば、受信側の端末機において、ファクシミリデータに関連付けられたメッセージデータに親展扱いすべき旨を示す識別データが付与されているならば、既定のパスワードが入力されるまで、該ファクシミリデータの印刷が禁止される。これによって、端末機の使い勝手が向上する。
【図面の簡単な説明】
【図１】本発明の実施の一形態である端末機１の構成を示すブロック図である。
【図２】図１の端末機１を含む通信網２の状態を示す図である。
【図３】図１の端末機１の入力装置９の構成を示す模式図である。
【図４】図１の端末機１のＳＭＳ関連メモリ部３８のメモリ空間の詳細な区画を示す模式図である。
【図５】図１の端末機１のＦＡＸ関連メモリ部３９のメモリ空間の詳細な区画を示す模式図である。
【図６】図１の端末機１が送受するメッセージデータ６１のフォーマットを示す模式図である。
【図７】図１の端末機１の送信処理を示すフローチャートである。
【図８】図１の端末機１の受信処理を示すフローチャートである。
【符号の説明】
１　端末機
２　通信網
４　公衆回線網
５　センタ装置
６　通信装置
７　制御装置
８　印刷装置
９　入力装置
２２　記憶装置
３７　汎用メモリ部
３８　ＳＭＳ関連メモリ部
３９　ＦＡＸ関連メモリ部
６１　メッセージデータ
６２　メッセージデータの本文部
６３　メッセージデータのヘッダ部
６４　リンク付けの識別データ
６５　参照番号
６６　中継配信の識別データ
６７　配信宛先
６８　親展扱いの識別データ
【図１】
2004120596.tif 000003
【図２】
2004120596.tif 000004
【図３】
2004120596.tif 000005
【図４】
2004120596.tif 000006
【図５】
2004120596.tif 000007
【図６】
2004120596.tif 000008
【図７】
2004120596.tif 000009
【図８】
2004120596.tif 000010